(57)【要約】【課題】受信中のセグメントを切り替えた際に視聴者が感じる違和感を軽減した放送受信装置を提供する。【解決手段】MPU１１６は、デコーダ１０８により時々刻々と検出されるデコーダ誤り率を監視し、このデコーダ誤り率が予め設定したレベル以上に上昇して、受信状態が悪化したことを検出すると、まず、デコーダ誤り率（オーディオデータの誤り率とビデオデータの誤り率）のうち、誤り率が高い方のデータをエラー耐性の強い階層のストリームのデータに切り替えるように選択部１０７を制御する。そして、予め設定した時間が経過した後に、残る一方のデータを、すでに切り替えたエラー耐性の強い階層のストリームのデータに切り替えるように選択部１０７を制御するようにしたものである。【選択図】      図１
2008311861.tif 000002
【特許請求の範囲】
【請求項１】
第１データおよび第２データをそれぞれ含む無線信号を受信する受信手段と、
この受信手段が受信した前記無線信号を復調して、前記第１データと第２データをそれぞれ含む複数のチャネルデータに分離する分離手段と、
前記複数のチャネルデータのうち、いずれか一つチャネルデータを選択して出力する選択手段と、
この選択手段が出力したチャネルデータに含まれる第１データと第２データをそれぞれ復号する復号手段と、
この復号手段による復号時に第１データと第２データに含まれる誤りを検出して、これに基づいてデータ品質が予め設定したレベル以下に劣化したことを検出する検出手段と、
この検出手段が前記レベル以下に劣化したことを検出した場合に前記選択手段を制御して、すでに前記選択手段が選択して出力していたチャネルデータの第１データに代わって他のチャネルデータに含まれる第１データを出力させ、その後に予め設定された条件が満たされると、前記選択手段が選択して出力していたチャネルデータの第２データに代わって前記他のチャネルデータの第２データを出力させる制御手段とを具備することを特徴とする放送受信装置。
【請求項２】
第１データおよび第２データをそれぞれ含む無線信号を受信する受信手段と、
この受信手段が受信した前記無線信号を復調して、第１データと第２データをそれぞれ含む複数のチャネルデータに分離する分離手段と、
前記複数のチャネルデータのうち、いずれか一つのチャネルデータを選択して出力する選択手段と、
この選択手段が出力したチャネルデータの第１データと第２データをそれぞれ復号する復号手段と、
この復号手段により復号された第１データと第２データにそれぞれ含まれる基準信号に基づいて各データの同期誤差を検出して、これに基づいてデータ品質が予め設定したレベル以下に劣化したことを検出する検出手段と、
この検出手段が前記レベル以下に劣化したことを検出した場合に前記選択手段を制御して、すでに前記選択手段が選択して出力していたチャネルの第１データに代わって他のチャネルデータに含まれる第１データを出力させ、その後に予め設定された条件が満たされると、前記選択手段が選択して出力していたチャネルデータの第２データに代わって前記他のチャネルチャネルの第２データを出力させる制御手段とを具備することを特徴とする放送受信装置。
【請求項３】
第１データおよび第２データをそれぞれ含む無線信号を受信する受信手段と、
この受信手段が受信した前記無線信号を復調してデータストリームを得る復調手段と、
この復調手段が得たデータストリームに含まれる誤りを検出する誤り検出手段と、
前記データストリームを、第１データと第２データをそれぞれ含む複数のチャネルデータに分離する分離手段と、
前記複数のチャネルデータのうち、いずれか一つのチャネルデータを選択して出力する選択手段と、
この選択手段が出力したチャネルデータに含まれる第１データと第２データをそれぞれ復号する復号手段と、
前記誤り検出手段の検出結果に基づいて、受信品質が予め設定したレベル以下に劣化したことを検出する検出手段と、
この検出手段が前記レベル以下に劣化したことを検出した場合に前記選択手段を制御して、すでに前記選択手段が選択して出力していたチャネルデータに含まれる第１データに代わって他のチャネルデータに含まれる第１データを出力させ、その後に予め設定された条件が満たされると、前記選択手段が選択して出力していたチャネルデータに含まれる第２データに代わって前記他のチャネルデータに含まれる第２データを出力させる制御手段とを具備することを特徴とする放送受信装置。
【請求項４】
第１データおよび第２データをそれぞれ含む無線信号を受信する受信手段と、
この受信手段が受信した前記無線信号を復調して、第１データと第２データをそれぞれ含む複数のチャネルデータに分離する分離手段と、
前記複数のチャネルデータにそれぞれ含まれる誤りを検出する誤り検出手段と、
前記複数のチャネルデータうち、いずれか一つのチャネルデータを選択して出力する選択手段と、
この選択手段が出力したチャネルデータに含まれる第１データと第２データをそれぞれ復号する復号手段と、
前記誤り検出手段の検出結果に基づいて、データの品質が予め設定したレベル以下に劣化したことを検出する検出手段と、
この検出手段が前記レベル以下に劣化したことを検出した場合に前記選択手段を制御して、すでに前記選択手段が選択して出力していたチャネルデータに含まれる第１データに代わって方のチャネルデータの第１データを出力させ、その後に予め設定された条件が満たされると、前記選択手段が選択して出力していたチャネルデータに含まれる第２データに代わって前記他のチャネルデータに含まれる第２データを出力させる制御手段とを具備することを特徴とする放送受信装置。
【請求項５】
前記予め設定された条件は、第１データが切り替えられてからの経過時間であることを特徴とする請求項１から４のいずれか１つに記載の放送受信装置。
【請求項６】
前記第１データと第２データの一方はオーディオデータで他方はビデオデータから構成され、
前記予め設定された条件は、オーディオデータの場合は無音が検出であり、ビデオデータの場合は輝度の低い画面の検出または時間的相関の低い状態の検出であることを特徴とする請求項１から４のいずれか１つに記載の放送受信装置。
【請求項７】
第１データおよび第２データをそれぞれ含む無線信号を受信する受信手段と、
この受信手段が受信した前記無線信号を復調して、第１データと第２データをそれぞれ含む複数のチャネルデータに分離する分離手段と、
前記複数のチャネルデータのうち、いずれか一つのチャネルデータを選択して出力する選択手段と、
この選択手段が出力したチャネルデータの第１データと第２データをそれぞれ復号する復号手段と、
この復号手段により復号された第１データと第２データそれぞれについて相関関係を求め、この相関関係が予め定めたレベル以下に劣化したことを検出する検出手段と、
この検出手段が前記レベル以下に劣化したことを検出した場合に前記選択手段を制御して、前記レベル以下に劣化した相関関係に対応する第１データまたは第２データを他のチャネルデータに含まれる第１データまたは第２データに切り替えさせ、その後に予め設定された条件が満たされると、前記選択手段によってまだ切り替えられていない第１データまたは第２データを前記他のチャネルデータに切り替えさせる制御手段とを具備することを特徴とする放送受信装置。
【請求項８】
前記予め設定された条件は、第１データまたは第２データが切り替えられてからの経過時間であることを特徴とする請求項７に記載の放送受信装置。
【請求項９】
前記第１データと第２データの一方はオーディオデータで他方はビデオデータから構成され、
前記予め設定された条件は、オーディオデータの場合は無音が検出であり、ビデオデータの場合は輝度の低い画面の検出または時間的相関の低い状態の検出であることを特徴とする請求項７に記載の放送受信装置。
【発明の詳細な説明】
【技術分野】
【０００１】
この発明は、例えば地上デジタル放送などの放送を受信するのに用いられる放送受信装置に関する。
【背景技術】
【０００２】
周知のように、地上デジタル放送が開始され、全国各地で受信環境が整いつつある。地上デジタル放送など、一般にデジタル放送では、同じコンテンツを複数のセグメント（帯域）でそれぞれ放送し、受信状態に応じてセグメントを切り替えて放送を受信することで、安定した視聴を可能としている（例えば、特許文献１参照）。
【０００３】
しかしながら、従来の放送受信装置では、受信中のセグメントを他のセグメントに切り替える際に、音声と映像に不連続が生じてしまうため、視聴者はセグメント切替え時に強い違和感を持つという問題があった。
【特許文献１】特開２００２−０９４４０２
【発明の開示】
【発明が解決しようとする課題】
【０００４】
従来の放送受信装置では、受信中のセグメントを他のセグメントに切り替える際に、音声と映像に不連続が生じてしまうため、視聴者はセグメント切替え時に強い違和感を持つという問題があった。  
この発明は上記の問題を解決すべくなされたもので、受信中のセグメントを切り替えた際に視聴者が感じる違和感を軽減した放送受信装置を提供することを目的とする。
【課題を解決するための手段】
【０００５】
上記の目的を達成するために、この発明は、第１データおよび第２データをそれぞれ含む無線信号を受信する受信手段と、この受信手段が受信した無線信号を復調して、第１データと第２データをそれぞれ含む複数のチャネルデータに分離する分離手段と、複数のチャネルデータのうち、いずれか一つチャネルデータを選択して出力する選択手段と、この選択手段が出力したチャネルデータに含まれる第１データと第２データをそれぞれ復号する復号手段と、この復号手段による復号時に第１データと第２データに含まれる誤りを検出して、これに基づいてデータ品質が予め設定したレベル以下に劣化したことを検出する検出手段と、この検出手段がレベル以下に劣化したことを検出した場合に選択手段を制御して、すでに選択手段が選択して出力していたチャネルデータの第１データに代わって他のチャネルデータに含まれる第１データを出力させ、その後に予め設定された条件が満たされると、選択手段が選択して出力していたチャネルデータの第２データに代わって他のチャネルデータの第２データを出力させる制御手段とを具備して構成するようにした。
【発明の効果】
【０００６】
以上述べたように、この発明では、受信品質が劣化した場合に、第１データと第２データの両方を同時に他のチャネル（セグメント）に切り替えるのではなく、まず第１データを先に切り替えて、一定時間が経過した後に、残る第２データを切り替えるようにしている。
【０００７】
したがって、この発明によれば、チャネルを切り替える場合でも、第２のデータについては再生を継続しながら、第１のデータをまず切り替え、続いて、第２のデータについても切り替えるので、チャネル切替時に少なくとも一方のデータは途切れることなく再生が継続でき、受信中のチャネルを切り替えた際に視聴者が感じる違和感を軽減した放送受信装置を提供できる。
【発明を実施するための最良の形態】
【０００８】
以下、図面を参照して、この発明の実施形態について説明する。  
図１は、この発明の一実施形態に係わる放送受信装置の構成を示すものである。この放送受信装置は、アンテナ１０１と、チューナ１０２と、OFDM復調部１０３と、誤り訂正部１０４と、階層分離部１０５と、階層別誤り検出部１０６と、選択部１０７と、デコーダ１０８と、デコーダ誤り検出部１０９と、BUS１１０と、オーディオコントローラ１１１と、スピーカ１１２と、グラフィックコントローラ１１３と、モニタ１１４と、外部インタフェース（Ｉ／Ｏ）１１５と、MPU(Micro Processing Unit)１１６と、ROM１１７と、RAM１１８とを備える。
【０００９】
送信所から送信されたデジタル放送の無線信号は、アンテナ１０１を通じてチューナ１０２により受信され、ベースバンド信号にダウンコンバートされた後、アナログ信号からデジタル信号に変換される。このデジタル信号は、OFDM(Orthogonal Frequency Division Multiplexing)変調されたもので、それぞれパイロット信号が付加された１３個のOFDMブロックからなる。
【００１０】
OFDM復調部１０３は、上記デジタル信号を復調して、１３個のセグメントからなるトランスポートストリームパケット（TSP）を得る。このトランスポートストリームパケットは、送信側で送信データに応じて埋め込まれた誤り検出情報を含んでいる。またトランスポートストリームパケットは、最大で３つの階層からなり、階層毎に伝送特性が異なる。すなわち、階層毎に、セグメント数、変調方式、畳み込み符号化率などが設定される。
【００１１】
誤り訂正部１０４は、BUS１１０を通じたMPU１１６からの指示にしたがって、上記トランスポートストリームを、上記誤り検出情報に基づいて誤りを検出し、訂正する。ここで誤り訂正されたトランスポートストリームは、階層分離部１０５に出力される。また誤り訂正部１０４は、検出した誤りに基づいて、誤り率（以下、ストリーム誤り率と称する）を検出し、これをBUS１１０を通じてRAM１１８に記録する。
【００１２】
階層分離部１０５は、誤り訂正部１０４にて誤り訂正されたトランスポートストリームを、階層毎のストリームａ，ｂ，ｃに分離し、これらを階層別誤り検出部１０６と選択部１０７にそれぞれ出力する。
【００１３】
階層別誤り検出部１０６は、階層毎のストリームａ，ｂ，ｃそれぞれについて、各ストリームに含まれる誤り検出情報に基づき、誤り率（以下、階層別誤り率と称する）を検出する。この階層別誤り率は、階層別誤り検出部１０６により、BUS１１０を通じてRAM１１８に記録される。
【００１４】
選択部１０７は、BUS１１０を通じたMPU１１６からの指示にしたがって、階層分離部１０５から出力されるストリームａ、ｂ、ｃのうち、いずれかを選択して、デコーダ１０８に出力する。
【００１５】
デコーダ１０８は、選択部１０７から入力されるストリームを復号し、必要に応じて誤り訂正するもので、オーディオデコーダ１０８ａとビデオデコーダ１０８ｂを備える。入力されたストリームのうち、オーディオデータは、オーディオデコーダ１０８ａに、ビデオデータは、ビデオデコーダ１０８ｂにそれぞれ入力される。
【００１６】
オーディオデコーダ１０８ａは、入力されるオーディオデータを復号するとともに、復号時に誤りを検出した場合には、この誤りを訂正し、誤りが生じていた旨をデコーダ誤り検出部１０９に通知する。  
同様に、ビデオデコーダ１０８ｂは、入力されるビデオデータを復号するとともに、復号時に誤りを検出した場合には、この誤りを訂正し、誤りが生じていた旨をデコーダ誤り検出部１０９に通知する。
【００１７】
更に、デコーダ１０８は、オーディオデコーダ１０８ａにて復号されたオーディオデータのレベル変動を検出するとともに、ビデオデコーダ１０８ｂにて復号されたビデオデータの輝度や色空間の情報（ＲＧＢやＹＵＶなど）のレベル変動を検出して、上記オーディオデータの一定時間内における相関（以下、オーディオ時間的相関と称する）とビデオデータの一定時間内における相関（以下、ビデオ時間的相関と称する）をそれぞれ検出する。一般に短時間内で連続するデータは、そのレベルに連続性があって急峻な変動が少なくて時間的な相関が高く、データの欠落やエラーの発生があった場合に、この時間的な相関が低下する。
【００１８】
またデコーダ１０８は、オーディオデコーダ１０８ａにて復号された連続する複数のオーディオデータにそれぞれ含まれる基準信号を比較して、オーディオデータにおける同期ズレ（以下、オーディオ同期誤差と称する）を検出するとともに、ビデオデコーダ１０８ｂにて復号された連続する複数のビデオデータにそれぞれ含まれる基準信号を比較して、ビデオデータにおける同期ズレ（以下、ビデオ同期誤差と称する）を検出する。
【００１９】
そしてデコーダ１０８は、復号されたオーディオデータとビデオデータの同期を取り、これらのデータをRAM１１８に記録する。またデコーダ１０８は、上記時間的相関と、各データの同期誤差をそれぞれRAM１１８に記録する。
【００２０】
デコーダ誤り検出部１０９は、オーディオデコーダ１０８ａおよびビデオデコーダ１０８ｂからの通知に基づいて、選択部１０７が出力したストリームの復号後のオーディオデータおよびビデオデータの各誤り率を検出する。そして、デコーダ誤り検出部１０９は、上記復号後の各誤り率をデコーダ誤り率として、BUS１１０を通じてRAM１１８に記録する。
【００２１】
オーディオコントローラ１１１は、MPU１１６からの指示にしたがって、BUS１１０を通じてRAM１１８から復号されたオーディオデータを読み出し、これをアナログ音声信号に変換する。このアナログ音声信号は、スピーカ１１２を通じて拡声出力される。
【００２２】
グラフィックコントローラ１１３は、MPU１１６からの指示にしたがって、BUS１１０を通じてRAM１１８から復号されたビデオデータを読み出し、これを映像信号に変換する。この映像信号は、モニタ１１４を通じて、映像出力される。
【００２３】
外部インタフェース（Ｉ／Ｏ）１１５は、種々の機器が物理的および電気的に接続され、MPU１１６の制御によりRAM１１８から読み出されたオーディオデータやビデオデータは、このＩ／Ｏ１１５を介して上記機器に出力する。
【００２４】
ROM１１７は、MPU１１６の制御プログラムや制御データを記憶し、BUS１１０を通じて読み出される。  
RAM１１８は、ビデオデータやオーディオデータ、種々の検出情報や制御パラメータを記憶するもので、BUS１１０を通じて上記データの読み書きが行われる。
【００２５】
MPU１１６は、当該放送受信装置の各部を統括して制御するものであって、デコーダ誤り検出部１０９が検出したデコーダ誤り率に応じて選択部１０７を切替制御し、所望の受信品質が得られるストリームを後段のデコーダ１０８に出力させてデコードさせる。
【００２６】
またMPU１１６は、RAM１１８に記録されたストリーム誤り率、階層別誤り率、デコーダ誤り率、時間的相関および同期誤差に基づいて選択部１０７を切替制御し、ストリームａ，ｂ，ｃのオーディオデータおよびビデオデータを任意のタイミングで個別に選択させ、後段のデコーダ１０８に出力させてデコードさせる。すなわち、MPU１１６は、オーディオデータとビデオデータのうち、一方を他方とは連動させずに、例えば安定して視聴が行える他のストリームのデータに切り替えることができる。
【００２７】
ここで、まず上記構成の放送受信装置の第１の実施例に係わる動作について説明する。  MPU１１６は、デコーダ１０８により時々刻々と検出されるデコーダ誤り率を監視し、このデコーダ誤り率が予め設定したレベル以上に上昇して、受信状態が悪化したことを検出すると、まず、デコーダ誤り率（オーディオデータの誤り率とビデオデータの誤り率）のうち、誤り率が高い方のデータをエラー耐性の強い階層のストリームのデータに切り替えるように選択部１０７を制御する。そして、予め設定した時間が経過した後に、残る一方のデータを、すでに切り替えたエラー耐性の強い階層のストリームのデータに切り替えるように選択部１０７を制御する。
【００２８】
以上のように、上記構成の放送受信装置では、受信状態が悪化した場合に、オーディオデータとビデオデータの両方を同時に他のエラー耐性の強い階層のストリームのデータに切り替えるのではなく、誤り率の高い方のデータを先に切り替えて一定時間が経過した後に、残る一方のデータを切り替えるようにしている。
【００２９】
したがって、上記構成の放送受信装置によれば、再生ストリームの階層を切り替える場合でも、誤り率の低い方のデータについては再生を継続しながら、誤り率の高い方のデータをまず切り替え、続いて、誤り率の低い方のデータについても切り替えるので、セグメント切替時に少なくとも一方のデータは途切れることなく再生が継続でき、セグメント切替時に感じる視聴者の違和感を軽減できる。
【００３０】
なお、この実施例では、誤り率の高い方のデータを必ず先に切り替えるものとして説明したが、これに限定されるものではなく、予め設定したデータ（例えばオーディオデータ）の方を必ず先に切り替えるようにしてもよい。
【００３１】
次に、上記構成の放送受信装置の第２の実施例に係わる動作について説明する。  
MPU１１６は、デコーダ１０８により時々刻々と検出されるオーディオ同期誤差およびビデオ同期誤差を監視し、これらのうちいずれかの同期誤差がそれぞれ予め設定したレベル以上に上昇して、受信状態が悪化したことを検出すると、まず、同期誤差が予め設定したレベル以上に上昇した方のデータをエラー耐性の強い階層のストリームのデータに切り替えるように選択部１０７を制御する。そして、予め設定した時間が経過した後に、残る一方のデータを、すでに切り替えたエラー耐性の強い階層のストリームのデータに切り替えるように選択部１０７を制御する。
【００３２】
以上のように、上記構成の放送受信装置では、受信状態が悪化した場合に、オーディオデータとビデオデータの両方を同時に他のエラー耐性の強い階層のストリームのデータに切り替えるのではなく、同期誤差の大きい方のデータを先に切り替えて一定時間が経過した後に、残る一方のデータを切り替えるようにしている。
【００３３】
したがって、上記構成の放送受信装置によれば、再生ストリームの階層を切り替える場合でも、同期誤差が小さい方のデータについては再生を継続しながら、同期誤差が大きい方のデータをまず切り替え、続いて、同期誤差が小さい方のデータについても切り替えるので、セグメント切替時に少なくとも一方のデータは途切れることなく再生が継続でき、セグメント切替時に感じる視聴者の違和感を軽減できる。
【００３４】
なお、この実施例では、同期誤差が大きい方のデータを必ず先に切り替えるものとして説明したが、これに限定されるものではなく、予め設定したデータ（例えばオーディオデータ）の方を必ず先に切り替えるようにしてもよい。
【００３５】
次に、上記構成の放送受信装置の第３の実施例に係わる動作について説明する。  
MPU１１６は、デコーダ１０８により時々刻々と検出されるオーディオ時間的相関とビデオ時間的相関を監視し、これらのうちいずれかの時間的相関がそれぞれ予め設定したレベル以下に低下して、受信状態が悪化したことを検出すると、まず、時間的相関が予め設定したレベル以下に低下した方のデータをエラー耐性の強い階層のストリームのデータに切り替えるように選択部１０７を制御する。そして、予め設定した時間が経過した後に、残る一方のデータを、すでに切り替えたエラー耐性の強い階層のストリームのデータに切り替えるように選択部１０７を制御する。
【００３６】
以上のように、上記構成の放送受信装置では、受信状態が悪化した場合に、オーディオデータとビデオデータの両方を同時に他のエラー耐性の強い階層のストリームのデータに切り替えるのではなく、時間的相関の低下が大きい方のデータを先に切り替えて一定時間が経過した後に、残る一方のデータを切り替えるようにしている。
【００３７】
したがって、上記構成の放送受信装置によれば、再生ストリームの階層を切り替える場合でも、時間的相関の低下が小さい方のデータについては再生を継続しながら、時間的相関の低下が大きい方のデータをまず切り替え、続いて、時間的相関の低下が小さい方のデータについても切り替えるので、セグメント切替時に少なくとも一方のデータは途切れることなく再生が継続でき、セグメント切替時に感じる視聴者の違和感を軽減できる。
【００３８】
なお、この実施例では、時間的相関の低下が大きい方のデータを必ず先に切り替えるものとして説明したが、これに限定されるものではなく、予め設定したデータ（例えばオーディオデータ）の方を必ず先に切り替えるようにしてもよい。
【００３９】
次に、上記構成の放送受信装置の第４の実施例に係わる動作について説明する。  
MPU１１６は、誤り訂正部１０４により時々刻々と検出されるストリーム誤り率を監視し、これが予め設定したレベル以上に上昇して、受信状態が悪化したことを検出すると、まず予め設定したデータ（例えばオーディオデータ）の方のデータをエラー耐性の強い階層のストリームのデータに切り替えるように選択部１０７を制御する。そして、予め設定した時間が経過した後に、残る一方のデータを、すでに切り替えたエラー耐性の強い階層のストリームのデータに切り替えるように選択部１０７を制御する。
【００４０】
以上のように、上記構成の放送受信装置では、受信状態が悪化した場合に、オーディオデータとビデオデータの両方を同時に他のエラー耐性の強い階層のストリームのデータに切り替えるのではなく、一方のデータを先に切り替えて一定時間が経過した後に、残る一方のデータを切り替えるようにしている。
【００４１】
したがって、上記構成の放送受信装置によれば、再生ストリームの階層を切り替える場合でも、一方のデータについては再生を継続しながら、他方のデータをまず切り替え、続いて、残る一方のデータについても切り替えるので、セグメント切替時に少なくとも一方のデータは途切れることなく再生が継続でき、セグメント切替時に感じる視聴者の違和感を軽減できる。
【００４２】
最後に、上記構成の放送受信装置の第５の実施例に係わる動作について説明する。  
MPU１１６は、階層別誤り検出部１０６により時々刻々と検出される階層別誤り率を監視し、各階層の階層別誤り率が予め設定したレベル以上に上昇して、受信状態が悪化したことを検出すると、まず予め設定したデータ（例えばオーディオデータ）の方のデータをエラー耐性の強い階層のストリームのデータに切り替えるように選択部１０７を制御する。そして、予め設定した時間が経過した後に、残る一方のデータを、すでに切り替えたエラー耐性の強い階層のストリームのデータに切り替えるように選択部１０７を制御する。
【００４３】
以上のように、上記構成の放送受信装置では、受信状態が悪化した場合に、オーディオデータとビデオデータの両方を同時に他のエラー耐性の強い階層のストリームのデータに切り替えるのではなく、一方のデータを先に切り替えて一定時間が経過した後に、残る一方のデータを切り替えるようにしている。
【００４４】
したがって、上記構成の放送受信装置によれば、再生ストリームの階層を切り替える場合でも、一方のデータについては再生を継続しながら、他方のデータをまず切り替え、続いて、残る一方のデータについても切り替えるので、セグメント切替時に少なくとも一方のデータは途切れることなく再生が継続でき、セグメント切替時に感じる視聴者の違和感を軽減できる。
【００４５】
なお、この実施例では、各階層の階層別誤り率を監視するようにしたが、これに代わって例えば、選択部１０７が選択している階層の階層別誤り率のみを監視するようにしてもよい。  
また、上記の各実施例では、誤り率の高い方のデータを切り替えた後、予め設定した時間が経過したところで他方のデータの切り替えを実行するとして説明しているが、これに限らず、それぞれの切り替えにおいて、オーディオデータについては無音を検出したとき、ビデオデータについては輝度の低い画面を検出したとき、または時間的相関の低い、即ち、ノイズやシーンチェンジで画面間に不連続が生じていることを検出したときを利用することもできる。
【００４６】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４７】
その一例として例えば、上記実施例１〜５では、単独の指標の元に受信状態の悪化を検出するようにしたが、複数の指標の元に受信状態の悪化を検出するようにしてもよい。例えば、誤り訂正部１０４が検出したストリーム誤り率と、デコーダ１０８が検出したデコーダ誤り率の両方を監視し、その両方が上昇して受信状態が悪化した場合や、あるいは少なくとも一方が上昇して受信状態が悪化した場合に、上述したような時間差のあるセグメント切替を行う。
【００４８】
また、このように複数の指標を監視する場合には、いずれかを優先的に利用して受信状態が悪化したと判定するようにしてもよい。例えば、ストリーム誤り率、デコーダ誤り率および同期誤差を監視し、ストリーム誤り率やデコーダ誤り率が低くても、視聴者が違和感を感じやすい同期誤差が大きい場合には、受信状態が悪化したものと判定する。
【００４９】
また上記実施例では、図２に示すように、受信状態が悪化した場合の切替について説明したが、逆に、受信状態が良好になった場合には、エラー耐性の弱い階層のストリームのデータに切り替えるように選択部１０７を制御することも可能である。  
【図面の簡単な説明】
【００５０】
【図１】この発明に係わる放送受信装置の一実施形態の構成を示す回路ブロック図。
【図２】図１に示した放送受信装置のセグメント切替を説明するための図。
【符号の説明】
【００５１】
１０１…アンテナ、１０２…チューナ、１０３…OFDM復調部、１０４…誤り訂正部、１０５…階層分離部、１０６…階層別誤り検出部、１０７…選択部、１０８ａ…オーディオデコーダ、１０８ｂ…ビデオデコーダ、１０９…デコーダ誤り検出部、１１０…BUS、１１１…オーディオコントローラ、１１２…スピーカ、１１３…グラフィックコントローラ、１１４…モニタ、１１５…Ｉ／Ｏ、１１６…MPU、１１７…ROM、１１８…RAM。
【図１】
2008311861.tif 000003
【図２】
2008311861.tif 000004